(57)【要約】【課題】携帯電話端末に具備される電子メール等の安価な通信方法を活用して、携帯電話端末と固定電話端末との通信に掛かる料金の低減に寄与し、携帯電話端末の利用者に対する通信サービスの利便性を向上する。【解決手段】通信システムは、ゲートウェイ装置２０と、通信接続装置３０と、ボイスポータル装置４０とにより構成されている。ボイスポータル装置４０は、携帯通信端末１１に対して、ボイスポータル装置４０が提供する通信サービスの内容について音声信号を用いて案内し、特定の通信サービスを選択させる機能を有している。また、ボイスポータル装置４０は、携帯通信端末１１によって選択された通信サービスに応じて、所定の情報の登録や携帯通信端末１１と固定電話端末５０，５０１とを通信可能に接続する機能を有している。【選択図】　　　図１
2004056520.tif 000002
【特許請求の範囲】
【請求項１】
携帯通信端末からの電子メールに含まれる該携帯通信端末の電話番号を検出する電話番号検出手段と、
前記携帯通信端末に対する通信を提供する携帯電話網と接続する携帯電話網接続手段と、
前記電話番号検出手段が検出した前記電話番号に基づいて、前記携帯電話網接続手段を通じて該携帯通信端末との通信路を設定する通信路設定手段と、
前記携帯通信端末から、前記通信路を通じて宛先の電話番号を取得する宛先電話番号取得手段と、
前記携帯通信端末と、前記宛先の電話番号が付与された電話端末とを通信可能に接続する接続手段と
を有することを特徴とする通信システム。
【請求項２】
前記宛先電話番号取得手段は、前記携帯通信端末から送出される音声信号の中から前記宛先の電話番号を認識して該宛先の電話番号を取得することを特徴とする請求項１に記載の通信システム。
【請求項３】
一つまたは複数の電話端末との同時通話を要求する要求側の携帯通信端末の電話番号と、該同時通話を行うために接続される宛先の電話番号と、登録識別子とを対応付けて記憶する記憶手段と、
前記要求側の携帯通信端末からの電子メールに含まれる該要求側の携帯通信端末の電話番号を検出する電話番号検出手段と、
検出した前記要求側の携帯通信端末の電話番号に基づいて、該要求側の携帯通信端末との通信路を設定する通信路設定手段と、
前記要求側の携帯通信端末から、前記登録識別子を、前記通信路を通じて取得する識別子取得手段と、
検出した前記要求側の携帯通信端末の電話番号と、取得した前記登録識別子とに対応付けられて前記記憶手段に記憶されている前記宛先の電話番号に基づいて、該要求側の携帯通信端末と、該宛先の電話番号が付与された携帯通信端末とを同時通話が可能に接続する接続手段と
を有することを特徴とする通信システム。
【請求項４】
前記接続手段が接続した前記要求側の携帯通信端末と、前記宛先の電話番号が付与された電話端末との間おける同時通話の内容を録音することを特徴とする請求項３に記載の通信システム。
【請求項５】
利用者の携帯通信端末の電話番号と、該利用者の携帯通信端末との通信を行う宛先の電話番号と、登録識別子とを対応付けて記憶する記憶手段と、
前記利用者の携帯通信端末からの電子メールに含まれる該利用者の携帯通信端末の電話番号を検出する電話番号検出手段と、
検出した前記利用者の携帯通信端末の電話番号に基づいて、前記利用者の携帯通信端末との通信路を設定する通信路設定手段と、
前記利用者の携帯通信端末に対して、前記宛先の電話番号の登録または該宛先の電話番号が付与された電話端末との通信のいずれかを選択させるメニューを、前記通信路を通じて提供するメニュー提供手段と、
前記メニュー提供手段による前記メニューに応じて前記宛先の電話番号を登録する項目が選択された場合において、前記利用者の携帯通信端末から、該宛先の電話番号と、前記登録識別子とを前記通信路を通じて取得し、該宛先の電話番号と、該登録識別子と、検出した前記利用者の携帯通信端末の電話番号とを前記記憶手段に登録する情報取得登録手段と、
前記メニュー提供手段による前記メニューに応じて前記宛先の電話番号との通信を行う項目が選択された場合において、前記利用者の携帯通信端末から、その登録された前記登録識別子を、前記通信路を通じて取得する識別子取得手段と、
取得した前記登録識別子と、検出した前記利用者の携帯通信端末の電話番号とに対応付けられて前記記憶手段に記憶されている前記宛先の電話番号に基づいて、前記利用者の携帯通信端末と該宛先の電話番号が付与された電話端末とを通信可能に接続する接続手段と
を有することを特徴とする通信システム。
【請求項６】
前記情報取得登録手段は、前記利用者の携帯通信端末から送出される音声信号の特定部分を前記登録識別子として認識して前記記憶手段に登録し、
前記識別子取得手段は、前記利用者の携帯通信端末から送出される音声信号が、前記記憶手段に登録された前記登録識別子に対応する音声信号と合致するかを照合することを特徴とすることを特徴とする請求項５に記載の通信システム。
【請求項７】
前記情報取得登録手段は、前記利用者の携帯通信端末から送出される音声信号の中から前記宛先の電話番号を認識して該宛先の電話番号を取得することを特徴とする請求項５に記載の通信システム。
【請求項８】
利用者側が、通信システムに対して携帯通信端末を用いて発信するステップ（１）と、
通信システムが、前記携帯通信端末からの電子メールに含まれる該携帯通信端末の電話番号を検出するステップ（２）と、
前記通信システムが、前記ステップ（２）において検出した前記電話番号に基づいて、前記携帯通信端末に対する通信を提供する携帯電話網と接続する携帯電話網接続手段を通じて前記携帯通信端末との通信路を設定するステップ（３）と、
前記利用者側が、宛先の電話番号を入力するステップ（４）と、
前記通信システムが、前記通信路を通じて前記宛先の電話番号を取得するステップ（５）と、
前記通信システムが、前記携帯通信端末と、前記ステップ（５）において取得された前記宛先の電話番号が付与された電話端末とを通信可能に接続するステップ（６）と
を有することを特徴とする通信方法。
【請求項９】
前記ステップ（５）において、前記携帯通信端末から送出される音声信号の中から前記宛先の電話番号を認識して該宛先の電話番号を取得することを特徴とする請求項８に記載の通信方法。
【請求項１０】
一つまたは複数の電話端末との同時通話を要求する要求側の携帯通信端末の電話番号と、該同時通話を行うために接続される宛先の電話番号と、登録識別子とを対応付けて記憶する記憶手段が設けられている通信システムにおける通信方法であって、
利用者側が、前記通信システムに対して前記要求側の携帯通信端末を用いて発信するステップ（１）と、
前記通信システムが、前記要求側の携帯通信端末からの電子メールに含まれる該要求側の携帯通信端末の電話番号を検出するステップ（２）と、
前記通信システムが、前記ステップ（２）において検出した前記要求側の携帯通信端末の電話番号に基づいて、前記要求側の携帯通信端末に対する通信を提供する携帯電話網と接続する携帯電話網接続手段を通じて前記要求側の携帯通信端末との通信路を設定するステップ（３）と、
前記利用者側が、前記登録識別子を、前記通信路を通じて入力するステップ（４）と、
前記通信システムが、前記登録識別子を、前記通信路を通じて取得するステップ（５）と、
前記通信システムが、検出した前記要求側の携帯通信端末の電話番号と、取得した前記登録識別子とに対応付けられて前記記憶手段に記憶されている前記宛先の電話番号に基づいて、該要求側の携帯通信端末と、該宛先の電話番号が付与された電話端末とを同時通話が可能に接続ステップ（６）と
を有することを特徴とする通信方法。
【請求項１１】
前記ステップ（６）において接続された前記要求側の携帯通信端末と、前記宛先の電話番号が付与された電話端末との間おける同時通話の内容を録音することを特徴とする請求項１０に記載の通信方法。
【請求項１２】
利用者の携帯通信端末の電話番号と、該利用者の携帯通信端末との通信を行う宛先の電話番号と、登録識別子を対応付けて記憶する記憶手段が設けられている通信システムにおける通信方法であって、
利用者側が、通信システムに対して前記利用者の携帯通信端末を用いて発信するステップ（１）と、
前記通信システムが、前記利用者の携帯通信端末からの電子メールに含まれる該利用者の携帯通信端末の電話番号を検出するステップ（２）と、
前記通信システムが、前記ステップ（２）において検出した前記利用者の携帯通信端末の電話番号に基づいて、前記利用者の携帯通信端末に対する通信を提供する携帯電話網と接続する携帯電話網接続手段を通じて前記利用者の携帯通信端末との通信路を設定するステップ（３）と、
前記通信システムが、前記利用者の携帯通信端末に対して、前記宛先の電話番号の登録または該宛先の電話番号が付与された電話端末との通信のいずれかを選択させるメニューを、前記通信路を通じて提供するステップ（４）と、
前記利用者側が、前記メニューに応じて前記宛先の電話番号を登録する項目を選択した場合において、前記利用者側が、前記利用者の携帯通信端末から、前記宛先の電話番号と、前記登録識別子とを前記通信路を通じて入力するステップ（５）と、
前記通信システムが、入力された宛先の電話番号と、入力された登録識別子と、前記ステップ（２）において検出した前記利用者の携帯通信端末の電話番号とを登録するステップ（６）と、
前記利用者側が、前記メニューに応じて前記宛先の電話番号との通信を行う項目を選択した場合において、前記利用者側が、前記利用者の携帯通信端末から前記通信路を通じて前記登録識別子を入力するステップ（７）と、
前記通信システムが、入力された前記登録識別子を取得するステップ（８）と、
前記通信システムが、前記ステップ（８）において取得した前記登録識別子と、前記ステップ（２）において検出した前記利用者の携帯通信端末の電話番号とに対応付けられて登録されている前記宛先の電話番号に基づいて、前記利用者の携帯通信端末と該宛先の電話番号が付与された電話端末とを通信可能に接続するステップ（９）と
を有することを特徴とする通信方法。
【請求項１３】
前記ステップ（６）において、前記利用者の携帯通信端末から送出される音声信号の特定部分を前記登録識別子として認識して登録し、
前記ステップ（８）において、前記利用者の携帯通信端末から送出される音声信号が、登録された前記登録識別子に対応する音声信号と合致するかを照合することを特徴とすることを特徴とする請求項１２に記載の通信方法。
【請求項１４】
前記ステップ（６）において、前記利用者の携帯通信端末から送出される音声信号の中から前記宛先の電話番号を認識して該宛先の電話番号を取得することを特徴とする請求項１２に記載の通信方法。
【発明の詳細な説明】
【０００１】
【発明の属する技術分野】
本発明は、携帯通信端末を用いた通信を提供する通信システム及び通信方法に関する。
【０００２】
【従来の技術】
近年においては、携帯電話ならびにインターネット等のＴＣＰ／ＩＰを基礎としたネットワークの普及に伴い、通話の機能に加え、電子メールの送受等のデータ通信機能を具備した携帯電話端末も普及してきている。
【０００３】
また、携帯電話の普及に伴って、利用者は、携帯電話端末に対しても所定の場所に設置して使用される固定電話端末と同等の機能や使い勝手を求めるようになっていた。
【０００４】
【発明が解決しようとする課題】
しかしながら、携帯電話端末に掛かる通信料金は、固定電話端末に掛かる通信料金と比較して高額になることが一般的である。特に、携帯電話端末と固定電話端末とが通信を行う場合においては、通信事業者が異なる複数の電話網を経由するため通信料金が一層高額となる傾向が強い。
【０００５】
また、複数の電話端末の間における同時通話を可能にすることにより電話端末を用いた会議を行うこと、いわゆる電話会議を行う場合においても、その利便性から固定電話端末に代えて携帯電話端末を利用したいとの要求が高まっていたものの、上述のように通信料金が高額になる問題があった。
【０００６】
さらにまた、宛先の電話番号と、その電話番号を識別するための登録用の識別子と、所定のグループ等とを関連付けて登録し、登録した電話番号を参照してその電話番号に対して発信することができる、いわゆる電話帳の機能は、携帯電話端末に内蔵されているのが一般的であり、携帯電話端末を交換した場合や所持していない場合には、登録された電話番号を参照できないといった問題がった。
【０００７】
そこで、本発明は、以上の点を鑑みてなされたものであり、携帯電話端末に具備される電子メール等の安価な通信方法を活用して、携帯電話端末と固定電話端末との通信に掛かる料金の低減に寄与し、携帯電話端末の利用者に対する通信サービスの利便性を向上することのできる通信システム及び通信方法を提供することを目的とする。
【０００８】
【課題を解決するための手段】
上記目的を達成するために、本発明の第一の特徴は、利用者側が、通信システムに対して携帯通信端末を用いて発信し、通信システムが、携帯通信端末からの電子メールに含まれるその携帯通信端末の電話番号を検出し、通信システムが、その検出した電話番号に基づいて、携帯通信端末に対する通信を提供する携帯電話網と接続する携帯電話網接続手段を介して携帯通信端末との通信路を設定し、利用者側が、宛先の電話番号を入力し、通信システムが、通信路を通じて宛先の電話番号を取得し、通信システムが、携帯通信端末と、その取得された宛先の電話番号が付与された電話端末とを通信可能に接続することを要旨とする。
【０００９】
本発明の第一の特徴によれば、通信システムが、携帯通信端末に対して発信して設定した通信路を用いて、携帯通信端末と宛先の電話端末とを通信可能に接続するため、宛先の電話端末に対して発信する場合であっても、通信システムは、通信システムからその携帯通信端末に対する発信呼とすることができる。通信システムからの携帯電話網の利用に伴う通信料金は、発信呼量に応じた割引が適用されることから、一般的な携帯通信端末からの発信に適用される通信料金の単価よりも安価となり、割引後の通信料金の単価に基づいて携帯通信端末の利用者に請求することにより、通信料金を低減することができる。
【００１０】
また、本発明の第一の特徴によれば、ＶｏＩＰ（Ｖｏｉｃｅ　ｏｖｅｒ　ＩＰ）技術を基礎としたＩＰ電話を用いて構築された電話網（ＩＰ電話網）を使用することができるため、さらに通信料金を低減することができる。
【００１１】
さらに、本発明の第一の特徴によれば、通信システムを介して携帯通信端末と宛先の固定電話端末とを通信可能に接続するため、それぞれの電話端末が属する電話網が相互に接続されていない場合においても、当該電話端末間の通信を提供することができる。
【００１２】
本発明の第一の特徴においては、携帯電話端末から送出される音声信号の中から前記宛先の電話番号を認識して該宛先の電話番号を取得することが好ましい。
【００１３】
かかる場合、携帯通信端末から送出される音声信号を認識して宛先の電話番号を取得するため、利用者は、携帯通信端末に実装されているプッシュボタンを用いた入力操作が不要となり、特にプッシュボタンの操作が自由に行えないような利用者でも、宛先の電話番号を容易に指定することができる。
【００１４】
本発明の第二の特徴は、一つまたは複数の電話端末との同時通話を要求する要求側の携帯通信端末の電話番号と、その同時通話を行うために接続される宛先の電話番号と、登録識別子とを対応付けて記憶する記憶手段と、要求側の携帯通信端末からの電子メールに含まれるその要求側の携帯通信端末の電話番号を検出する電話番号検出手段と、電話番号検出手段が検出した要求側の携帯通信端末の電話番号に基づいて、その要求側の携帯通信端末との通信路を設定する通信路設定手段と、要求側の携帯通信端末から、登録識別子を、通信路を通じて取得する識別子取得手段と、検出した要求側の携帯通信端末の電話番号と、取得した登録識別子とに対応付けられて記憶手段に記憶されている宛先の電話番号に基づいて、その要求側の携帯通信端末と、その宛先の電話番号が付与された携帯通信端末とを同時通話が可能に接続する接続手段とを有することを要旨とする。
【００１５】
本発明の第二の特徴によれば、要求側の携帯通信端末が登録識別子を送信することにより、宛先の電話番号が付与された携帯通信端末と同時通話が可能に接続されるため、利用者は、複数の宛先の電話番号を電話会議の都度入力する手間を回避することができ、当該利用者が行う手続きを簡素化することができる。
【００１６】
本発明の第二の特徴においては、接続手段が接続した要求側の携帯通信端末と、宛先の電話番号が付与された電話端末との間おける同時通話の内容を録音することが好ましい。
【００１７】
かかる場合、要求側の携帯通信端末と宛先の電話番号が付与された電話端末との間における通話の内容を録音するため、その内容を通話終了後に確認することができる。
【００１８】
本発明の第三の特徴は、利用者の携帯通信端末の電話番号と、その利用者の携帯通信端末との通信を行う宛先の電話番号と、登録識別子とを対応付けて記憶する記憶手段と、利用者の携帯通信端末からの電子メールに含まれるその利用者の携帯通信端末の電話番号を検出する電話番号検出手段と、検出した利用者の携帯通信端末の電話番号に基づいて、利用者の携帯通信端末との通信路を設定する通信路設定手段と、利用者の携帯通信端末に対して、宛先の電話番号の登録またはその宛先の電話番号が付与された電話端末との通信のいずれかを選択させるメニューを、通信路を通じて提供するメニュー提供手段と、メニュー提供手段によるメニューに応じて宛先の電話番号を登録する項目が選択された場合において、利用者の携帯通信端末から、その宛先の電話番号と、登録識別子とを通信路を通じて取得し、その宛先の電話番号と、その登録識別子と、検出した利用者の携帯通信端末の電話番号とを記憶手段に登録する情報取得登録手段と、メニュー提供手段によるメニューに応じて宛先の電話番号との通信を行う項目が選択された場合において、利用者の携帯通信端末から、その登録された登録識別子を、通信路を通じて取得する識別子取得手段と、取得した登録識別子と、検出した利用者の携帯通信端末の電話番号とに対応付けられて記憶手段に記憶されている宛先の電話番号に基づいて、利用者の携帯通信端末とその宛先の電話番号が付与された電話端末とを通信可能に接続する接続手段とを有することを要旨とする。
【００１９】
本発明の第三の特徴によれば、利用者の携帯通信端末からの要求に応じて、記憶手段に記憶されている登録識別子に基づいて、利用者の携帯通信端末と宛先の電話番号が付与された電話端末とを通信可能に接続するため、利用者の携帯通信端末に電話番号を記憶する必要がなくなり、その携帯通信端末を交換した場合等における電話帳への電話番号の再登録を回避することができる。
【００２０】
本発明の第三の特徴においては、情報取得登録手段は、利用者の携帯通信端末から送出される音声信号の特定部分を登録識別子として認識して記憶手段に登録し、識別子取得手段は、利用者の携帯通信端末から送出される音声信号が、記憶手段に登録された登録識別子に対応する音声信号と合致するかを照合することが好ましい。
【００２１】
また、本発明の第三の特徴においては、情報取得登録手段は、利用者の電話端末から送出される音声信号の中から宛先の電話番号を認識して、その宛先の電話番号を取得することが好ましい。
【００２２】
かかる場合、登録識別子及び宛先の電話番号として音声信号を用いることができることから、利用者は、携帯通信端末に実装されているプッシュボタンを用いた入力操作が不要になり、特にプッシュボタンの操作が自由に行えないような利用者でも、登録識別子や宛先の電話番号を容易に指定することができる。
【００２３】
本発明の第四の特徴は、一つまたは複数の電話端末との同時通話を要求する要求側の携帯通信端末の電話番号と、その同時通話を行うために接続される宛先の電話番号と、登録識別子とを対応付けて記憶する記憶手段が設けられている通信システムにおける通信方法であって、利用者側が、通信システムに対して要求側の携帯通信端末を用いて発信するステップ（１）と、通信システムが、要求側の携帯通信端末からの電子メールに含まれるその要求側の携帯通信端末の電話番号を検出するステップ（２）と、通信システムが、ステップ（２）において検出した要求側の携帯通信端末の電話番号に基づいて、要求側の携帯通信端末に対する通信を提供する携帯電話網と接続する携帯電話網接続手段を通じて要求側の携帯通信端末との通信路を設定するステップ（３）と、利用者側が、登録識別子を、通信路を通じて入力するステップ（４）と、通信システムが、登録識別子を、通信路を通じて取得するステップ（５）と、通信システムが、検出した要求側の携帯通信端末の電話番号と、取得した登録識別子とに対応付けられて記憶手段に記憶されている宛先の電話番号に基づいて、その要求側の携帯通信端末と、その宛先の電話番号が付与された電話端末とを同時通話が可能に接続ステップ（６）とを有することを要旨とする。
【００２４】
本発明の第五の特徴は、利用者の携帯通信端末の電話番号と、その利用者の携帯通信端末との通信を行う宛先の電話番号と、登録識別子を対応付けて記憶する記憶手段が設けられている通信システムにおける通信方法であって、利用者側が、通信システムに対して利用者の携帯通信端末を用いて発信するステップ（１）と、通信システムが、利用者の携帯通信端末からの電子メールに含まれるその利用者の携帯通信端末の電話番号を検出するステップ（２）と、通信システムが、ステップ（２）において検出した利用者の携帯通信端末の電話番号に基づいて、利用者の携帯通信端末に対する通信を提供する携帯電話網と接続する携帯電話網接続手段を通じて利用者の携帯通信端末との通信路を設定するステップ（３）と、通信システムが、利用者の携帯通信端末に対して、宛先の電話番号の登録またはその宛先の電話番号が付与された電話端末との通信のいずれかを選択させるメニューを、通信路を通じて提供するステップ（４）と、利用者側が、メニューに応じて宛先の電話番号を登録する項目を選択した場合において、利用者側が、利用者の携帯通信端末から、宛先の電話番号と、登録識別子とを通信路を通じて入力するステップ（５）と、通信システムが、入力された宛先の電話番号と、入力された登録識別子と、ステップ（２）において検出した利用者の携帯通信端末の電話番号とを登録するステップ（６）と、利用者側が、メニューに応じて宛先の電話番号との通信を行う項目を選択した場合において、利用者側が、利用者の携帯通信端末から通信路を通じて登録識別子を入力するステップ（７）と、通信システムが、登録識別子を取得するステップ（８）と、通信システムが、ステップ（８）において取得した登録識別子と、ステップ（２）において検出した利用者の携帯通信端末の電話番号とに対応付けられて登録されている宛先の電話番号に基づいて、利用者の携帯通信端末とその宛先の電話番号が付与された電話端末とを通信可能に接続するステップ（９）とを有することを要旨とする。
【００２５】
【発明の実施の形態】
（通信システムの全体構成）
本実施形態に係る通信システムについて図面を参照しながら説明する。図１は、本実施形態に係る通信システムを示す概略構成図である。
【００２６】
同図において、通信システムは、ゲートウェイ装置２０と、通信接続装置３０と、ボイスポータル装置４０とにより構成されている。また、ゲートウェイ装置２０と、通信接続装置３０と、ボイスポータル装置４０とは、固定電話網１にそれぞれ接続されている。
【００２７】
固定電話網１は、所定の場所に設置して使用される固定電話端末５０，５０１に対して電話サービスを提供するための電話網である。また、固定電話網１は、電話交換機を利用した回線交換方式による従来の電話網ではなく、ＶｏＩＰ（Ｖｏｉｃｅ　ｏｖｅｒ　ＩＰ）技術を使用したＩＰ電話サービスを提供する電話網である。固定電話網１は、回線交換方式による従来の電話網と比較して、通信設備の構成が簡素化されるため、一般的に安価な通信料金により電話サービスを提供することができる。
【００２８】
携帯電話網２は、無線方式により通信を行う基地局３を介し、携帯電話端末１０，携帯通信端末１１に対して携帯電話サービスを提供するための電話網である。携帯電話網２は、例えばＰＤＣ（Ｐｅｒｓｏｎａｌ　Ｄｉｇｉｔａｌ　Ｃｅｌｌｕｌａｒ）方式やＣＤＭＡ（ＣｏｄｅＤｉｖｉｓｉｏｎ　Ｍｕｌｔｉｐｌｅ　Ａｃｃｅｓｓ）方式を用いたディジタル携帯電話システムである。
【００２９】
また、固定電話網１と携帯電話網２とは、ゲートウェイ装置２０を介して接続され、携帯電話端末１０，携帯通信端末１１と、固定電話端末５０，５０１との間における通信を可能とする。
【００３０】
データ通信網４は、基地局３を介して、データ通信が可能な携帯電話端末である携帯通信端末１１に対してデータ通信を提供するための通信網である。また、データ通信網４は、ゲートウェイ装置２０を介して固定電話網１に接続されている。
【００３１】
携帯通信端末１１は、データ通信網４を介して電子メールの送受や所定のコンテンツ記述言語によって作成されたＷｅｂページの表示等を行うことができる。
【００３２】
次に、本実施形態に係る通信システムを構成するゲートウェイ装置２０、通信接続装置３０ならびにボイスポータル装置４０の構成についてそれぞれ説明する。
【００３３】
ゲートウェイ装置２０は、本実施形態において、携帯通信端末１１からの電子メールに含まれる携帯通信端末１１の電話番号を検出する電話番号検出手段を構成するものである。
【００３４】
具体的には、ゲートウェイ装置２０は、携帯通信端末１１からのゲートウェイ装置２０への電子メールに含まれる携帯通信端末１１の電話番号を検出し、その電話番号をボイスポータル装置４０に転送する。
【００３５】
また、携帯通信端末１１は、本実施形態において、例えばＩＥＴＦ　ＲＦＣ８２２に準拠した電子メールにおけるヘッダ（ｈｅａｄｅｒ　ｐａｒｔ）中の「Ｓｕｂｊｅｃｔ」部分、本文（ｂｏｄｙｐａｒｔ）部分もしくはメールアドレスのユーザパート部分（ｘｘｘｘ＠ｄｏｍａｉｎのｘｘｘｘ部分）のいずれかの部分に携帯通信端末１１の電話番号が含ませることができる。
【００３６】
携帯通信端末１１が、携帯通信端末１１の電話番号が含まれた電子メールをゲートウェイ装置２０に対して送信することにより、ゲートウェイ装置２０は、当該電子メールに含まれている携帯通信端末１１の電話番号を検出し、その電話番号をボイスポータル装置４０に転送する。
【００３７】
通信接続装置３０は、本実施形態において、携帯通信端末１１に対する通信を提供する携帯電話網２と接続する携帯電話網接続手段と、ゲートウェイ装置２０が検出した電話番号に基づいて携帯通信端末１１との通信路を設定する通信路設定手段とを構成する。
【００３８】
具体的には、通信接続装置３０は、ボイスポータル装置４０と接続され、ボイスポータル装置４０から受信した電話番号に基づいて、基地局３との無線通信回線ならびに携帯電話網２を通じて当該電話番号が付与された携帯通信端末１１と通信が行えるように接続する。
【００３９】
また、通信接続装置３０は、ボイスポータル装置４０から同時期に複数の電話番号を受信した場合においても、複数の携帯通信端末１１と同時にそれぞれ接続するため、例えば複数の携帯電話端末を具備し、基地局３に対する無線通信回線を複数確保することができるようになっている。
【００４０】
ボイスポータル装置４０は、携帯通信端末１１に対して、ボイスポータル装置４０が提供する通信サービスの内容について音声信号を用いて案内し、特定の通信サービスを選択させる機能を有している。また、ボイスポータル装置４０は、携帯通信端末１１によって選択された通信サービスに応じて、所定の情報の登録や携帯通信端末１１と固定電話端末５０，５０１とを通信可能に接続する機能を有している。
【００４１】
本実施形態に係るボイスポータル装置４０は、１）携帯通信端末１１から通話を行う宛先の電話番号を取得して、その電話番号が付与された固定電話端末５０との接続を行う「通話接続サービス」、２）複数の固定電話端末５０，５０１、携帯電話端末１０または携帯通信端末１１を同時通話が可能に接続する「電話会議サービス」、３）宛先の電話番号と、その電話番号を識別するための登録識別子等とを関連付けて登録し、その登録された電話番号を参照して発信する「電話帳サービス」を提供することができる。
【００４２】
本実施形態において、ボイスポータル装置４０は、図２に示すように、メニュー提供部４１と、情報取得部４２と、音声認識部４３と、データベース４４と、通信制御部４５と、接続部４６と、通話内容録音部４７とを有している。
【００４３】
メニュー提供部４１は、本実施形態においては、携帯通信端末１１に対して、宛先の電話番号の登録またはその宛先の電話番号が付与された電話端末との通信のいずれかを選択させるメニュー提供手段を構成する。
【００４４】
具体的には、ボイスポータル装置４０が提供する各通信サービスに応じたメニューを具備し、情報取得部４２を介して、その通信サービスの内容を音声信号によって携帯通信端末１１に対して案内するものである。
【００４５】
本実施形態に係るメニュー提供部４１は、１）通話接続サービス、２）電話会議サービス、３）電話帳サービス、の各通信サービスに応じたメニューの内容を携帯通信端末１１に対して、音声信号を用いて対話形式により順次案内し、特定の通信サービスの選択や電話番号等の入力を行わせることができる。
【００４６】
情報取得部４２は、メニュー提供部４１と連動して、携帯通信端末１１から入力された電話番号や登録識別子を取得するものである。
【００４７】
情報取得部４２は、本実施形態において、携帯通信端末１１から、通信接続装置３０が設定した通信路を通じて宛先の電話番号を取得する宛先電話番号取得手段を構成する。また、情報取得部４２は、宛先の電話番号と、登録識別子と、ゲートウェイ装置２０が検出した携帯通信端末１１の電話番号とを取得する情報取得登録手段を構成する。さらにまた、情報取得部４２は、携帯通信端末１１から、通信接続装置３０が設定した通信路を通じて登録識別子を取得する識別子取得手段を構成する。
【００４８】
具体的には、情報取得部４２は、メニュー提供部４１が携帯通信端末１１に対して案内したメニューにおいて、携帯通信端末１１が「通話接続サービス」を選択した場合には、携帯通信端末１１から送信される宛先の電話番号を取得する。
【００４９】
また、情報取得部４２は、メニュー提供部４１が携帯通信端末１１に対して案内したメニューにおいて、携帯通信端末１１が「電話会議サービス」を選択した場合には、携帯通信端末１１から送信される登録識別子を取得する。
【００５０】
さらに、情報取得部４２は、メニュー提供部４１が携帯通信端末１１に対して案内したメニューにおいて、携帯通信端末１１が「電話帳サービス」を選択した場合には、携帯通信端末１１から送信される宛先の電話番号及びその宛先の電話番号と対応付けられる登録識別子等を取得する。
【００５１】
なお、登録識別子とは、通信サービスの利用者が付与することのできる識別子であり、例えば宛先の電話番号に対応する利用者の氏名や会社の名称等、所定の字数の範囲内における任意の文字・数字の組合せを用いることができる。
【００５２】
情報取得部４２は、携帯通信端末１１から送信されたプッシュボタン（ＰＢ）信号に基づいて、上述した宛先の電話番号や登録識別子を数字や文字情報として取得し、その情報を選択された通信サービスの内容と合わせて通信制御部４５に転送する。
【００５３】
また、情報取得部４２は、携帯通信端末１１から送信された音声信号を音声認識部４３に転送するようにもなっている。
【００５４】
音声認識部４３は、本実施形態において、携帯通信端末１１から送信された音声信号の中から宛先の電話番号を認識して取得するものである。また、音声認識部４３は、携帯通信端末１１から送信された音声信号の特定部分を登録識別子として取得し、携帯通信端末１１から送信された音声信号が、その登録された登録識別子に対応する音声信号と合致するかを照合するものである。
【００５５】
具体的には、音声認識部４３は、情報取得部４２から転送された音声信号の中から宛先の電話番号を認識し、その宛先の電話番号を表す数字列を通信制御部４５に送信する。また、音声認識部４３は、情報取得部４２から転送された音声信号の特定部分を、登録識別子として取得し、取得した音声信号を通信制御部４５に送信する。さらに、音声認識部４３は、情報取得部４２から転送された音声信号の中からデータベース４４に記憶されている登録識別子と合致するかを照合し、その結果を通信制御部４５に送信する。
【００５６】
データベース４４は、本実施形態において、ゲートウェイ装置２０が検出した携帯通信端末１１の電話番号と、情報取得部４２が取得した宛先の電話番号ならびに登録識別子とを記憶する記憶手段を構成する。
【００５７】
具体的には、データベース４４は、電話番号テーブル４４ａと、電話会議テーブル４４ｂとを具備し、通信制御部４５からの制御に基づいて、ゲートウェイ装置２０が検出した携帯通信端末１１の電話番号を通信サービスの利用者ＩＤとし、この利用者ＩＤと、情報取得部４２または音声認識部４３が取得した宛先の電話番号ならびに登録識別子を記憶する。
【００５８】
電話番号テーブル４４ａには、ゲートウェイ装置２０が検出した携帯通信端末１１の電話番号と、情報取得部４２または音声認識部４３が取得した宛先の電話番号及び登録識別子とがひとつのレコードとして記憶されるようになっている。
【００５９】
電話会議テーブル４４ｂには、ゲートウェイ装置２０が取得した携帯通信端末１１の電話番号と、情報取得部４２または音声認識部４３が取得した宛先の電話番号及び登録識別子とがひとつのレコードとして記憶されるようになっている。
【００６０】
なお、「電話会議サービス」を利用する際に必要となる宛先の電話番号及び登録識別子については、「電話帳サービス」を用いて取得することができ、「電話帳サービス」によって取得された複数の宛先の電話番号と、登録識別子とが電話会議テーブル４４ｂに記憶されるようになっている。また、ボイスポータル装置４０が、電話会議の開催日時を取得することにより、当該電話会議を申し込んだ利用者の携帯通信端末１１と、取得した宛先の電話番号の付与された複数の固定電話端末５０，５０１とを開催日時に自動的に同時通話が可能に接続するようにしてもよい。
【００６１】
通信制御部４５は、本実施形態において、ゲートウェイ装置２０が検出した携帯通信端末１１の電話番号と、情報取得部４２から受信した宛先の電話番号ならびに登録識別子等をデータベース４４に登録する情報取得登録手段を構成する。また、通信制御部４５は、情報取得部４２から受信した通信サービスの情報とデータベース４４に記憶されている情報とを参照して携帯通信端末１１と固定電話端末５０とを通信可能に接続するための制御を行う機能を有している。
【００６２】
具体的には、通信制御部４５は、ゲートウェイ装置２０が検出した携帯通信端末１１の電話番号と、情報取得部４２から受信した宛先の電話番号と、登録識別子とを対応付けて、ひとつのレコードとしてデータベース４４に登録する。
【００６３】
また、通信制御部４５は、情報取得部４２から受信した情報に基づいて、データベース４４に記憶されているその当するレコードを参照して、携帯通信端末１１の電話番号または宛先の電話番号の情報を接続部４６に送信する。
【００６４】
接続部４６は、本実施形態において、携帯通信端末１１と、宛先の電話番号が付与された固定電話端末５０，５０１とを通信可能に接続する接続手段を構成する。
【００６５】
接続部４６は、通信制御部４５から受信した携帯通信端末１１の電話番号または宛先の電話番号の情報に基づき、携帯通信端末１１と、その宛先の電話番号が付与された固定電話端末５０とを通信可能に接続する。また、接続部４６は、固定電話網１と接続されており、ゲートウェイ装置２０及び通信接続装置３０との通信インターフェースを具備している。
【００６６】
具体的には、接続部４６は、通信制御部４５から受信した携帯通信端末１１の電話番号に基づいて、通信接続装置３０にその電話番号を送信するとともに携帯通信端末１１との通信路を設定するよう指示する。また、接続部４６は、通信制御部４５から受信した宛先の電話番号に基づいて、その宛先の電話番号が付与された固定電話端末５０に対して発信し、固定電話端末５０との通信路を設定する。さらに、接続部４６は、通信接続装置３０が接続した携帯通信端末１１との通信路と、固定電話端末５０との通信路を接続することにより、携帯通信端末１１と、固定電話端末５０との通信を提供することができる。
【００６７】
通話内容録音部４７は、「電話会議サービス」を提供する場合において、同時通話が可能に接続された携帯通信端末１１と固定電話端末５０との間における同時通話の内容を録音するものである。
【００６８】
具体的には、通話内容録音部４７は、携帯通信端末１１と固定電話端末５０とが同時通話可能に接続された時点から、当該接続が解放されるまでの期間における電話会議の内容の録音することができる。また、通話内容録音部４７は、録音した内容を、データベース４４に音声ファイルとして登録することもできる。
【００６９】
なお、当該音声ファイルは、パスワード等の認証を付加してインターネットに公開されているサーバ上に登録してもよい。これにより、当該電話会議の関係者は、その内容を電話会議の終了後においても容易に聴取することができる。また、通話内容録音部４７は、利用者からの要求に基づいて電話会議の内容の録音を解除するようにすることもできる。
【００７０】
本実施形態において、ゲートウェイ装置２０と、通信接続装置３０と、ボイスポータル装置４０とは、別個の装置としたが、本発明はこれに限定されるものではなく、ゲートウェイ装置２０と、通信接続装置３０と、ボイスポータル装置４０とを一体とすることもでき、また、本実施形態におけるゲートウェイ装置２０と、通信接続装置３０と、ボイスポータル装置４０との各装置に具備される機能は、他の装置に具備することもできる。
【００７１】
（通信システムを用いた通信方法）
上述した構成を有する本実施形態に係る通信システムを用いた通信方法について、以下に説明する。
【００７２】
まず、携帯通信端末１１から、固定電話端末５０に対して通信を行う場合について図３を用いて説明する。
【００７３】
携帯通信端末１１の利用者は、固定電話端末５０に対して電話を掛ける場合、まず、携帯通信端末１１を用いてゲートウェイ装置２０に対して電子メールを送信する（Ｓ３０１）。
【００７４】
ゲートウェイ装置２０は、携帯通信端末１１がゲートウェイ装置２０へ発信した電子メールに含まれる携帯通信端末１１の電話番号（例えば０９０−ｘｘｘｘ−ｙｙｙｙ）を検出する（Ｓ３０３）。
【００７５】
次いで、ゲートウェイ装置２０は、ステップＳ３０３において検出した携帯通信端末１１の電話番号（０９０−ｘｘｘｘ−ｙｙｙｙ）をボイスポータル装置４０に転送する（Ｓ３０５）。
【００７６】
ボイスポータル装置４０は、ゲートウェイ装置２０から転送された携帯通信端末１１の電話番号（０９０−ｘｘｘｘ−ｙｙｙｙ）を取得（Ｓ３０７）し、当該電話番号を通信接続装置３０に送信するとともに、携帯通信端末１１と接続するよう指示する（Ｓ３０９）。
【００７７】
通信接続装置３０は、ボイスポータル装置４０から受信した電話番号（０９０−ｘｘｘｘ−ｙｙｙｙ）に基づき、携帯通信端末１１に対して発信する（Ｓ３１１）。なお、携帯通信端末１１が通話中または通信接続装置３０からの呼に応答しない場合には、通信接続装置３０は、所定の時間経過後に再度携帯通信端末１１に対して発信するようになっている。
【００７８】
携帯通信端末１１の利用者が、通信接続装置３０から携帯通信端末１１に対する発信に伴い生起された呼に応答すると、ボイスポータル装置４０は、携帯通信端末１１との通信路を設定し、通信を開始する（Ｓ３１３）。
【００７９】
このように、ステップＳ３０３においてゲートウェイ装置２０が検出した携帯通信端末１１の電話番号に基づいて、ボイスポータル装置４０から、通信接続装置３０を通じて携帯通信端末１１に対してコールバックすることにより、ボイスポータル装置４０からの発信呼とすることができ、携帯電話網２の使用に伴う通信料金はボイスポータル装置４０に対して課金されるようになる。
【００８０】
ボイスポータル装置４０からの通信接続装置３０を通じた携帯通信端末１１への発信呼量は、上述したコールバックを用いることもあり、通常、携帯通信端末１１からの発信呼量と比較して著しく多い。このため、本実施形態に係る通信方法においては、携帯電話網２の使用に伴う通信料金の単価を、携帯通信端末１１からの発信に適用される通信料金の単価よりも大幅に割引されたものとすることができる。
【００８１】
次いで、ボイスポータル装置４０は、ステップＳ３１３において接続された携帯通信端末１１に対して、１）「通話接続サービス」、２）「電話会議サービス」、３）「電話帳サービス」の中から所望の通信サービスを選択するよう音声信号によって案内する（Ｓ３１５）。
【００８２】
携帯通信端末１１の利用者は、１）通話接続サービスを選択するため、これに該当する番号「１」を携帯通信端末１１に具備されたプッシュボタン（ＰＢ）を用いて入力する（Ｓ３１７）。
【００８３】
ボイスポータル装置４０は、携帯通信端末１１から入力されたＰＢ信号を取得して「通話接続サービス」が選択されたことを認識し、携帯通信端末１１に対して、宛先の電話番号をＰＢまたは音声で入力するよう音声信号によって案内する（Ｓ３１９）。
【００８４】
携帯通信端末１１の利用者は、ＰＢを用いて宛先の電話番号（例えば０３０−ａａａａ−ｂｂｂｂ）を入力するか、または、利用者が「０３０−ａａａａ−ｂｂｂｂ」と発声して宛先の電話番号を入力する（Ｓ３２１）。
【００８５】
ボイスポータル装置４０は、携帯通信端末１１から入力された宛先の電話番号（０３０−ａａａａ−ｂｂｂｂ）を取得し、その宛先の電話番号が付与された固定電話端末５０に対して発信する（Ｓ３２３）。なお、固定電話端末５０が通話中またはボイスポータル装置４０からの呼に応答しない場合には、携帯通信端末１１に対してその旨通知できるようにもなっている。
【００８６】
固定電話端末５０の利用者は、ボイスポータル装置４０から固定電話端末５０に対する発信に伴い生起された呼に応答する（Ｓ３２５）。
【００８７】
次いで、ボイスポータル装置４０は、ステップＳ３１３において携帯通信端末１１に対して設定した通信路を用いて、携帯通信端末１１と固定電話端末５０とを接続する（Ｓ３２７）。
【００８８】
なお、ステップＳ３２１において携帯通信端末１１から宛先の電話番号（０３０−ａａａａ−ｂｂｂｂ）を取得した後、ボイスポータル装置４０は、ステップＳ３１３において携帯通信端末１１との間に設定した通信路を解放（いわゆる電話を切る）し、ステップＳ３２３において、携帯通信端末１１と固定電話端末５０とにそれぞれ発信して、携帯通信端末１１と固定電話端末５０とを接続してもよい。このような方法を採用することにより、本実施形態に係る通信方法においては、ステップＳ３２３において固定電話端末５０が通話中またはボイスポータル装置４０からの呼に応答しない場合において、ステップＳ３１３においてボイスポータル装置４０が設定した通信路を不必要に保留しておく時間を回避することができる。
【００８９】
次に、携帯通信端末１１と、固定電話端末５０，５０１とを同時通話可能に接続し、電話会議を行う場合について、図４を用いて説明する。
【００９０】
携帯通信端末１１の利用者は、固定電話端末５０，５０１との電話会議を行う場合、まず、携帯通信端末１１を用いてゲートウェイ装置２０に対して電子メールを送信する（Ｓ４０１）。
【００９１】
ゲートウェイ装置２０は、携帯通信端末１１がゲートウェイ装置２０に発信した電子メールに含まれる携帯通信端末１１の電話番号（例えば０９０−ｘｘｘｘ−ｙｙｙｙ）を検出する（Ｓ４０３）。
【００９２】
なお、ステップＳ４０１において、携帯通信端末１１の利用者は、携帯通信端末１１において呼出音を確認後、ゲートウェイ装置２０が応答する前に電話を切ってもよい。また、ステップＳ４０３において、所定の時間携帯通信端末１１からの呼出しが継続された場合には、携帯通信端末１１からの呼はボイスポータル装置４０に転送され、通信システムから携帯通信端末１１に対して電話を掛け直す（コールバックする）旨の音声信号が、ボイスポータル装置４０から携帯通信端末１１に対して送出されるようになっている。なお、コールバックする旨の音声信号に代えて、ボイスポータル装置４０は、メニュー提供部４１からボイスポータル装置４０が提供する通信サービスを案内してもよい。
【００９３】
次いで、ゲートウェイ装置２０は、ステップＳ４０３において検出した携帯通信端末１１の電話番号（０９０−ｘｘｘｘ−ｙｙｙｙ）をボイスポータル装置４０に転送する（Ｓ４０５）。
【００９４】
ボイスポータル装置４０は、ゲートウェイ装置２０から転送された携帯通信端末１１の電話番号（０９０−ｘｘｘｘ−ｙｙｙｙ）を取得（Ｓ４０７）し、当該電話番号を通信接続装置３０に送信するとともに、携帯通信端末１１と接続するよう指示する（Ｓ４０９）。
【００９５】
通信接続装置３０は、ボイスポータル装置４０から受信した電話番号（０９０−ｘｘｘｘ−ｙｙｙｙ）に基づき、携帯通信端末１１に対して発信する（Ｓ４１１）。なお、携帯通信端末１１が通話中または通信接続装置３０からの呼に応答しない場合には、通信接続装置３０は、所定の時間経過後に再度携帯通信端末１１に対して発信するようになっている。
【００９６】
携帯通信端末１１の利用者が、通信接続装置３０から携帯通信端末１１に対する発信に伴い生起された呼に応答すると、ボイスポータル装置４０は、携帯通信端末１１との通信路を設定し、通信を開始する（Ｓ４１３）。
【００９７】
このように、ステップＳ４０３においてゲートウェイ装置２０が検出した携帯通信端末１１の電話番号に基づいて、ボイスポータル装置４０から、通信接続装置３０を通じて携帯通信端末１１に対してコールバックすることにより、ボイスポータル装置４０からの発信呼とすることができ、携帯電話網２の使用に伴う通信料金はボイスポータル装置４０に対して課金されるようになる。
【００９８】
ボイスポータル装置４０からの通信接続装置３０を通じた携帯通信端末１１への発信呼量は、上述したコールバックを用いることもあり、通常、携帯通信端末１１からの発信呼量と比較して著しく多い。このため、本実施形態に係る通信方法においては、携帯電話網２の使用に伴う通信料金の単価を、携帯通信端末１１からの発信に適用される通信料金の単価よりも大幅に割引されたものとすることができる。
【００９９】
次いで、ボイスポータル装置４０は、ステップＳ４１３において接続された携帯通信端末１１に対して、１）「通話接続サービス」、２）「電話会議サービス」、３）「電話帳サービス」の中から所望の通信サービスを選択するよう音声信号によって案内する（Ｓ４１５）。
【０１００】
携帯通信端末１１の利用者は、２）電話会議サービスを選択するため、これに該当する番号「２」を携帯通信端末１１に具備されたプッシュボタン（ＰＢ）を用いて入力する（Ｓ４１７）。
【０１０１】
ボイスポータル装置４０は、携帯通信端末１１から入力されたＰＢ信号を取得して「電話会議サービス」が選択されたことを認識し、携帯通信端末１１に対して、登録識別子をＰＢまたは音声で入力するよう音声信号によって案内する（Ｓ４１９）。
【０１０２】
携帯通信端末１１の利用者は、ＰＢを用いて登録識別子（例えばＡプロジェクト進捗会議）を入力するか、または、利用者が「Ａプロジェクト進捗会議」と発声して登録識別子を入力する（Ｓ４２１）。
【０１０３】
ボイスポータル装置４０は、携帯通信端末１１から入力された登録識別子（Ａプロジェクト進捗会議）を取得し、その登録識別子に対応付けられてデータベース４４に記憶されている宛先の電話番号（例えば０３０−ａａａａ−ｂｂｂｂ）が付与された固定電話端末５０に対して発信する（Ｓ４２３）。なお、固定電話端末５０が通話中またはボイスポータル装置４０からの呼に応答しない場合には、携帯通信端末１１に対してその旨通知できるようにもなっている。
【０１０４】
固定電話端末５０の利用者は、ボイスポータル装置４０から固定電話端末５０に対する発信に伴い生起された呼に応答する（Ｓ４２５）。
【０１０５】
ここで、ステップＳ４２１において取得した登録識別子と対応付けられてデータベース４４に記憶されている宛先の電話番号が複数存在する場合には、ボイスポータル装置４０は、その宛先の電話番号（例えば０３０−ｃｃｃｃ−ｄｄｄｄ）が付与された固定電話端末５０１に対して発信を繰り返し（Ｓ４２７）、一つもしくは複数の固定電話端末５０１は、ボイスポータル装置４０から固定電話端末５０１に対する発信に伴い生起された呼に応答する（Ｓ４２９）。
【０１０６】
次いで、ボイスポータル装置４０は、ステップＳ４１３において携帯通信端末１１に対して設定した通信路を用いて、携帯通信端末１１と固定電話端末５０，５０１との間において同時通話が可能となるよう分岐接続する（Ｓ４３１）。
【０１０７】
なお、ステップＳ４２１において携帯通信端末１１から登録識別子（Ａプロジェクト進捗会議）を取得した後、ボイスポータル装置４０は、ステップＳ４１３において携帯通信端末１１との間に設定した通信路を解放（いわゆる電話を切る）し、ステップＳ４２３において、携帯通信端末１１と固定電話端末５０，５０１とにそれぞれ発信して、携帯通信端末１１と固定電話端末５０，５０１とを接続してもよい。このような方法を採用することにより、本実施形態に係る通信方法においては、ステップＳ４２３において固定電話端末５０，５０１が通話中またはボイスポータル装置４０からの呼に応答しない場合において、ステップＳ４１３においてボイスポータル装置４０が設定した通信路を不必要に保留しておく時間を回避することができる。
【０１０８】
次に、携帯通信端末１１から通信システムに対して宛先の電話番号を登録する方法について、図５を用いて説明する。
【０１０９】
携帯通信端末１１の利用者は、固定電話端末５０，５０１との電話会議を行う場合、まず、携帯通信端末１１を用いてゲートウェイ装置２０に対して電子メールを送信する（Ｓ５０１）。
【０１１０】
ゲートウェイ装置２０は、携帯通信端末１１がゲートウェイ装置２０に発信した電子メールに含まれる携帯通信端末１１の電話番号（例えば０９０−ｘｘｘｘ−ｙｙｙｙ）を検出する（Ｓ５０３）。
【０１１１】
次いで、ゲートウェイ装置２０は、ステップＳ５０３において検出した携帯通信端末１１の電話番号（０９０−ｘｘｘｘ−ｙｙｙｙ）をボイスポータル装置４０に転送する（Ｓ５０５）。
【０１１２】
ボイスポータル装置４０は、ゲートウェイ装置２０から転送された携帯通信端末１１の電話番号（０９０−ｘｘｘｘ−ｙｙｙｙ）を取得（Ｓ５０７）し、当該電話番号を通信接続装置３０に送信するとともに、携帯通信端末１１と接続するよう指示する（Ｓ５０９）。
【０１１３】
通信接続装置３０は、ボイスポータル装置４０から受信した電話番号（０９０−ｘｘｘｘ−ｙｙｙｙ）に基づき、携帯通信端末１１に対して発信する（Ｓ５１１）。なお、携帯通信端末１１が通話中または通信接続装置３０からの呼に応答しない場合には、通信接続装置３０は、所定の時間経過後に再度携帯通信端末１１に対して発信するようになっている。
【０１１４】
携帯通信端末１１の利用者が、通信接続装置３０から携帯通信端末１１に対する発信に伴い生起された呼に応答すると、ボイスポータル装置４０は、携帯通信端末１１との通信路を設定し、通信を開始する（Ｓ５１３）。
【０１１５】
このように、ステップＳ５０３においてゲートウェイ装置２０が検出した携帯通信端末１１の電話番号に基づいて、ボイスポータル装置４０から、通信接続装置３０を通じて携帯通信端末１１に対してコールバックすることにより、ボイスポータル装置４０からの発信呼とすることができ、携帯電話網２の使用に伴う通信料金はボイスポータル装置４０に対して課金されるようになる。
【０１１６】
ボイスポータル装置４０からの通信接続装置３０を通じた携帯通信端末１１への発信呼量は、上述したコールバックを用いることもあり、通常、携帯通信端末１１からの発信呼量と比較して著しく多い。このため、本実施形態に係る通信方法においては、携帯電話網２の使用に伴う通信料金の単価を、携帯通信端末１１からの発信に適用される通信料金の単価よりも大幅に割引されたものとすることができる。
【０１１７】
次いで、ボイスポータル装置４０は、ステップＳ５１３において接続された携帯通信端末１１に対して、１）「通話接続サービス」、２）「電話会議サービス」、３）「電話帳サービス」の中から所望の通信サービスを選択するよう音声信号によって案内する（Ｓ５１５）。
【０１１８】
携帯通信端末１１の利用者は、３）電話帳サービスを選択するため、これに該当する番号「３」を携帯通信端末１１に具備されたプッシュボタン（ＰＢ）を用いて入力する（Ｓ５１７）。
【０１１９】
ボイスポータル装置４０は、携帯通信端末１１から入力されたＰＢ信号を取得して「電話帳サービス」が選択されたことを認識し、携帯通信端末１１に対して、１）「一般の電話番号登録」、２）「電話会議用電話番号登録」、３）「登録済電話番号との通話接続」の中から所望の項目を選択するよう音声信号によって案内する（Ｓ５１９）。
【０１２０】
携帯通信端末１１の利用者は、１）一般の電話番号登録を選択するため、これに該当する番号「１」を携帯通信端末１１に具備されたプッシュボタン（ＰＢ）を用いて入力する（Ｓ５２１）。
【０１２１】
ボイスポータル装置４０は、携帯通信端末１１から入力されたＰＢ信号を取得して「一般の電話番号登録」が選択されたことを認識し、携帯通信端末１１に対して、宛先の電話番号をＰＢまたは音声で入力するよう音声信号によって案内する（Ｓ５２３）。
【０１２２】
携帯通信端末１１の利用者は、ＰＢを用いて宛先の電話番号（例えば０３０−ａａａａ−ｂｂｂｂ）を入力するか、または、利用者が「０３０−ａａａａ−ｂｂｂｂ」と発声して宛先の電話番号を入力する（Ｓ５２５）。
【０１２３】
ボイスポータル装置４０は、　ボイスポータル装置４０は、携帯通信端末１１から入力された宛先の電話番号（０３０−ａａａａ−ｂｂｂｂ）を取得し、携帯通信端末１１に対して、登録識別子をＰＢまたは音声で入力するよう音声信号によって案内する（Ｓ５２７）。
【０１２４】
携帯通信端末１１の利用者は、ＰＢを用いて登録識別子（例えばマルマルタロウ）を入力するか、または、利用者が「マルマルタロウ」と発声して登録識別子を入力する（Ｓ５２９）。
【０１２５】
ボイスポータル装置４０は、携帯通信端末１１から入力された登録識別子（マルマルタロウ）を取得し、その登録識別子（マルマルタロウ）と、ステップＳ５０７において取得した携帯通信端末１１の電話番号（０９０−ｘｘｘｘ−ｙｙｙｙ）と、ステップＳ５２７において取得した宛先の電話番号（０３０−ａａａａ−ｂｂｂｂ）とを対応付けてデータベース４４に登録する（Ｓ５３１）。
【０１２６】
このとき、ステップＳ５２１において、「一般の電話番号登録」が選択された場合には、電話会議用が選択された場合には電話番号テーブル４４ａに、「電話会議用電話番号登録」が選択された場合には、電話会議テーブル４４ｂに登録されるようになっている。
【０１２７】
次に、携帯通信端末１１から、通信システムに登録された宛先の電話番号が付与された電話端末と通話する方法について、図６を用いて説明する。図６におけるステップＳ６０１からステップＳ６１９については、図５におけるステップＳ５０１からステップＳ５１９と同様であるため、ステップＳ６２１以降について説明する。
【０１２８】
携帯通信端末１１の利用者は、３）登録済電話番号との通話接続を選択するため、これに該当する番号「３」を携帯通信端末１１に具備されたプッシュボタン（ＰＢ）を用いて入力する（Ｓ６２１）。
【０１２９】
ボイスポータル装置４０は、携帯通信端末１１から入力されたＰＢ信号を取得して「登録済電話番号との通話接続」が選択されたことを認識し、携帯通信端末１１に対して、登録識別子を入力するよう音声信号によって案内する（Ｓ６２３）。
【０１３０】
携帯通信端末１１の利用者は、ステップＳ３２９において、ＰＢによって登録識別子を入力した場合には、ＰＢを用いて登録識別子（マルマルタロウ）を入力し、ステップＳ３２７において、利用者が「マルマルタロウ」と発声して登録識別子を入力した場合には、利用者が「マルマルタロウ」と発声して登録識別子を入力する（Ｓ６２５）。
【０１３１】
ボイスポータル装置４０は、携帯通信端末１１から入力された登録識別子（マルマルタロウ）を取得し、その登録識別子と、ステップＳ４０７において取得した携帯通信端末１１の電話番号（０９０−ｘｘｘｘ−ｙｙｙｙ）に対応付けられてデータベース４４に記憶されている宛先の電話番号（例えば０３０−ａａａａ−ｂｂｂｂ）が付与された固定電話端末５０に対して発信する（Ｓ６２７）。
【０１３２】
なお、固定電話端末５０が通話中またはボイスポータル装置４０からの呼に応答しない場合には、携帯通信端末１１に対してその旨通知できるようにもなっている。
【０１３３】
また、ボイスポータル装置４０は、ステップＳ６０７において取得した携帯通信端末１１の電話番号が、その登録識別子（マルマルタロウ）と対応付けられてデータベース４４に記憶されている電話番号（０９０−ｘｘｘｘ−ｙｙｙｙ）と異なる場合には、その携帯通信端末１１の利用者に対して、その利用者の利用者ＩＤとしてデータベース４４に記憶されている電話番号（０９０−ｘｘｘｘ−ｙｙｙｙ）の入力を要求するようになっている。このように、データベース４４に記憶されている電話番号（０９０−ｘｘｘｘ−ｙｙｙｙ）と異なる電話番号の電話端末からでも、記憶されている電話番号（０９０−ｘｘｘｘ−ｙｙｙｙ）の入力を要求することにより、ボイスポータル装置４０が提供する「電話帳サービス」を利用して登録された宛先の電話番号（０３０−ａａａａ−ｂｂｂｂ）に対して発信することができる。
【０１３４】
固定電話端末５０の利用者は、ボイスポータル装置４０から固定電話端末５０に対する発信に伴い生起された呼に応答する（Ｓ６２９）。
【０１３５】
次いで、ボイスポータル装置４０は、ステップＳ６１３において携帯通信端末１１に対して設定した通信路を用いて、携帯通信端末１１と固定電話端末５０とを接続する（Ｓ６３１）。
【０１３６】
なお、ステップＳ６２５において携帯通信端末１１から登録識別子（マルマルタロウ）を取得した後、ボイスポータル装置４０は、ステップＳ６１３において携帯通信端末１１との間に設定した通信路を解放（いわゆる電話を切る）し、ステップＳ６２７において、携帯通信端末１１と固定電話端末５０とにそれぞれ発信して、携帯通信端末１１と固定電話端末５０とを接続してもよい。このような方法を採用することにより、本実施形態に係る通信方法においては、ステップＳ６２７において固定電話端末５０が通話中またはボイスポータル装置４０からの呼に応答しない場合において、ステップＳ６１３においてボイスポータル装置４０が設定した通信路を不必要に保留しておく時間を回避することができる。
【０１３７】
（通信システム及び通信方法による作用・効果）
以上説明した本実施形態に係る通信システム及び通信方法によれば、携帯通信端末１１が、固定電話端末５０に対して発信する場合であっても、ボイスポータル装置４０が、ゲートウェイ装置２０によって検出した携帯通信端末１１の電話番号に基づいて、通信接続装置３０を通じて携帯通信端末１１にコールバックする。このため、ボイスポータル装置４０から携帯通信端末１１に対する発信呼とすることができ、ボイスポータル装置４０からの発信呼量に応じて割引された通信料金の単価によって通信を行うことができる。
【０１３８】
また、固定電話網１は、本実施形態によれば、ＶｏＩＰ（Ｖｏｉｃｅ　ｏｖｅｒ　ＩＰ）技術を使用したＩＰ電話網であるため、電話交換機を利用した回線交換方式による電話網によって提供される電話サービスと比較して通信設備構成を簡素化することができ、提供する通信料金を安価に設定することができる。
【０１３９】
従って、特に通信料金が高額となる傾向が強い携帯通信端末１１と固定電話端末５０，５０１との通信に掛かる通信料金を大幅に低減することができる。
【０１４０】
また、本実施形態によれば、ボイスポータル装置４０が、通信接続装置３０を通じて携帯通信端末１１に接続するため、固定電話網１と携帯電話網２とがゲートウェイ装置２０によって接続されていない場合においても、携帯通信端末１１と固定電話端末５０とを通信可能に接続することができ、固定電話網１と携帯電話網２とが接続されていないために携帯通信端末１１や固定電話端末５０が通信できないといった制限を回避することができる。
【０１４１】
本実施形態によれば、携帯通信端末１１が、ボイスポータル装置４０に対して登録識別子を送信することにより、携帯通信端末１１と、固定電話端末５０，５０１とが同時通話が可能に接続されるため、携帯通信端末１１の利用者は、複数の宛先の電話番号を電話会議の都度入力する手間を回避することができ、当該利用者が行う手続きを簡素化することができる。
【０１４２】
また、本実施形態によれば、ボイスポータル装置４０が、固定電話端末５０，５０１に対して発信し、携帯通信端末１１と、固定電話端末５０，５０１とを同時通話が可能に接続するため、当該電話会議の利用者は、ボイスポータル装置４０からの着信に応答することにより電話会議サービスの提供を受けることができ、各利用者が特定の電話番号に対して発信して電話会議サービスに接続するといった手間を回避することができる。
【０１４３】
さらに、本実施形態によれば、ボイスポータル装置４０は、通話内容録音部４７を有し、同時通話が可能に接続された携帯通信端末１１と、固定電話端末５０，５０１との間における電話会議の内容を録音するため、当該電話会議を欠席した関係者等が、電話会議の終了後にその内容を確認することができる。
【０１４４】
本実施形態によれば、利用者の携帯通信端末１１からの要求に応じて、ボイスポータル装置４０が、データベース４４に記憶されている情報に基づいて、携帯通信端末１１と宛先の電話番号が付与された電話端末とを通信可能に接続するため、利用者は、携帯通信端末１１に宛先の電話番号を記憶する必要がなくなり、携帯通信端末１１を交換した場合における電話帳への宛先の電話番号の再登録や、携帯通信端末１１を使用できない場合に宛先の電話番号を参照できないといった問題を回避することができる。
【０１４５】
また、本実施形態によれば、ボイスポータル装置４０が、携帯通信端末１１から送出される携帯通信端末１１の利用者の音声を認識して、宛先の電話番号や登録識別子を取得するため、利用者は、プッシュボタンを用いた入力操作が不要となり、特にプッシュボタンの操作が自由に行えないような利用者においても、登録識別子を容易に指定することができる。
【０１４６】
【発明の効果】
以上説明したように本発明によれば、携帯電話端末に具備される電子メール等の安価な通信方法を活用して、携帯電話端末と固定電話端末との通信に掛かる料金の低減に寄与し、携帯電話端末の利用者に対する通信サービスの利便性を向上することができる。
【図面の簡単な説明】
【図１】本発明の実施形態に係る通信システムの概略構成を示す説明図である。
【図２】本発明の実施形態に係るボイスポータル装置の構成を示すブロック図である。
【図３】本発明の実施形態に係る携帯通信端末から固定電話端末に対する通信方法を示すシーケンス図である。
【図４】本発明の実施形態に係る電話会議を行う方法を示すシーケンス図である。
【図５】本発明の実施形態に係る電話帳機能への宛先の電話番号及び登録識別子の登録方法を示すシーケンス図である。
【図６】本発明の実施形態に係る電話帳機能を用いた電話端末との通信方法を示すシーケンス図である。
【符号の説明】
１…固定電話網、　２…携帯電話網、　３…基地局、　４…データ通信網、　１０…携帯電話端末、　１１…携帯通信端末、　２０…ゲートウェイ装置、　３０…通信接続装置、　４０…ボイスポータル装置、　５０，５０１…固定電話端末
【図１】
2004056520.tif 000003
【図２】
2004056520.tif 000004
【図３】
2004056520.tif 000005
【図４】
2004056520.tif 000006
【図５】
2004056520.tif 000007
【図６】
2004056520.tif 000008